(57)【要約】【課題】表示装置において、その表示部を駆動する駆動信号のノイズを起因とした表示品位の低下を抑える。【解決手段】表示パネル１の表示部１Ａは、駆動ＬＳＩ４０から供給されるクロック信号ＣＫ及び表示信号Ｒ，Ｇ，Ｂ等の駆動信号によって駆動される。駆動ＬＳＩ４０には、表示パネル１の外部から転送される駆動信号、即ちクロック信号ＣＫ及び表示信号Ｒ，Ｇ，Ｂに対して信号処理を施す信号処理部ＳＰが設けられている。さらに、駆動ＬＳＩ４０には、信号処理部ＳＰの前段に、入力された上記駆動信号の波形を整形する可変抵抗４３が設けられている。この可変抵抗４３により、上記駆動信号の波形の乱れ、即ちノイズ成分が除去又は低減され、そのノイズを起因とする表示品位の低下が抑えられる。【選択図】図１
2008003454.tif 000002
【特許請求の範囲】
【請求項１】
外部から転送される駆動信号に信号処理を施す信号処理部と、この信号処理部によって信号処理された駆動信号によって表示が行われる表示部とを備えた表示装置において、
前記信号処理部の前段に前記駆動信号の波形を整形する可変抵抗を設けたこと特徴とする表示装置。
【請求項２】
前記可変抵抗は、記憶装置に記憶されたデータに基づいて、その抵抗値が設定されることを特徴とする請求項１記載の表示装置。
【請求項３】
前記駆動信号は表示信号及びクロック信号を含み、
前記信号処理部は、前記クロック信号に応じて前記表示信号をサンプリングするサンプリング回路を含むことを特徴とする請求項１又は請求項２に記載の表示装置。
【請求項４】
前記表示部は、液晶表示部であることを特徴とする請求項１、２、３のいずれかに記載の表示装置。
【発明の詳細な説明】
【技術分野】
【０００１】
本発明は、表示装置に関し、特に、外部から転送される駆動信号に信号処理を施す信号処理部と、この信号処理部によって信号処理された駆動信号によって表示が行われる表示部とを備えた表示装置に関する。
【背景技術】
【０００２】
近年、携帯電話やデジタルカメラ等の携帯型電子機器の普及に伴い、液晶表示装置等の表示装置の需要が益々高まっている。次に、従来例に係る液晶表示装置の概略について、図面を参照して説明する。図４は、この液晶表示装置の等価回路図である。なお、図４では、表示パネル１上の液晶表示部（以降、「表示部１Ａ」と略称する）にマトリクス状に形成された複数の画素１０の中から、一部の画素１０だけを示している。
【０００３】
図４に示すように、ガラス基板からなる表示パネル１上で、行方向に延びた走査線ＧＬと列方向に延びた表示信号線ＤＬの交差点の付近に、薄膜トランジスタ（Thin Film Transistor；以降、「ＴＦＴ」と略称する）１１が配置されている。このＴＦＴ１１のゲートは、走査線ＧＬに接続されており、そのソースは、表示信号線ＤＬに接続されている。走査線ＧＬには垂直駆動回路２０から出力される画素選択信号Ｖｇが印加され、それに応じてＴＦＴ１１のオンまたはオフが制御される。表示信号線ＤＬには水平駆動回路３０から表示信号Ｖｓｉｇが出力される。
【０００４】
ＴＦＴ１１のドレインには、画素電極１２が接続されている。画素電極１２及び共通電極１３は液晶層１４を封止している。また、ＴＦＴ１１と画素電極１２との間には、印加される表示信号Ｖｓｉｇを１水平期間保持する保持容量１５が接続されている。
【０００５】
また、垂直駆動回路２０は表示部１Ａの辺に沿って配置されており、その辺と直交する辺に沿って、水平駆動回路３０が配置されている。また、例えば水平駆動回路３０に隣接して、表示パネル１の外部から各種の駆動信号、即ちクロック信号ＣＫ及び赤色、緑色、青色の各色に対応した表示信号Ｒ，Ｇ，Ｂ等が入力される駆動ＬＳＩ４０が配置されている。この駆動ＬＳＩ４０は、上記駆動信号に対して各種の信号処理を行い、各信号を垂直駆動回路２０及び水平駆動回路３０に出力する。
【０００６】
なお、垂直駆動回路２０、水平駆動回路３０、及び駆動ＬＳＩ４０は、ガラス基板である表示パネル１上にＣＯＧ（Chip on Glass）実装されるか、又は、表示パネル１の端部に設けられた不図示のＦＰＣ（Flexible Printed Circuit）に接続されることにより実装される。
【０００７】
次に、上記液晶表示装置の動作について説明する。ハイレベルの画素選択信号Ｖｇが１水平期間にわたって走査線ＧＬに印加されると、ＴＦＴ１１がオン状態となる。すると、表示信号線ＤＬに出力された表示信号ＶｓｉｇがＴＦＴ１１を通して保持容量１５によって保持されると共に、画素電極１２に印加される。そして、表示信号Ｖｓｉｇに応じて、１水平期間にわたって液晶層１４の電界が制御され、その電界に応じて液晶分子の配向が制御される。これにより、黒表示もしくは白表示の液晶表示が行われる。この動作を１フレーム期間にわたって、全ての行の画素１０に対して行うことにより、表示部の全体に所望の画像を表示することができる。
【０００８】
なお、本願に関連する技術文献としては、以下の特許文献が挙げられる。
【特許文献１】特開２００２−１４００１５号公報
【発明の開示】
【発明が解決しようとする課題】
【０００９】
しかしながら、表示パネル１の外部から駆動ＬＳＩ４０へ駆動信号を転送する際、駆動信号の情報量の増加により転送速度が高速化すると、電波ノイズ及び配線ノイズ等の電磁干渉によって、駆動信号の波形が乱れるという問題が生じていた。この駆動信号の波形の乱れは、駆動ＬＳＩ４０で行われる各種の信号処理において異常動作を誘発するため、表示の際にノイズやちらつき等が生じ、表示品位の低下を招いていた。
【課題を解決するための手段】
【００１０】
本発明は、上記課題に鑑みて為されたものであり、表示装置の表示部を駆動する駆動信号に乗じたノイズを起因とする表示品位の低下を抑えるものである。
【００１１】
即ち、本発明は、外部から転送される駆動信号に信号処理を施す信号処理部と、この信号処理部によって信号処理された駆動信号によって表示が行われる表示部と、を備えた表示装置において、信号処理部の前段に駆動信号の波形を整形する可変抵抗を設けたこと特徴とする。
【発明の効果】
【００１２】
本発明によれば、外部から転送される駆動信号に乗じたノイズに応じて可変抵抗器の抵抗値が設定される。そして、その可変抵抗に駆動信号が入力されることにより、その波形が整形され、上記ノイズが低減される。従って、駆動信号のノイズを起因とする駆動回路の異常動作が回避され、表示部の表示品位の低下を抑えることができる。
【発明を実施するための最良の形態】
【００１３】
次に、本発明の実施形態に係る液晶表示装置について図面を参照して説明する。図１は、本実施形態に係る表示装置を示す等価回路図である。本実施形態の表示装置は、液晶の制御により表示を行う液晶表示部を備えた液晶表示装置であり、図４に示した液晶表示装置と同様の構成を含むものである。図１では、本実施形態に係る液晶表示装置の駆動ＬＳＩ４０の構成のみを示し、図４と同一の他の構成要素については同一の符号を付して説明を省略する。
【００１４】
図１に示すように、駆動ＬＳＩ４０には、表示パネル１の外部から、駆動信号としてクロック信号ＣＫ及び赤色、緑色、青色の各色に対応した表示信号Ｒ，Ｇ，Ｂが入力されている。表示信号Ｒ，Ｇ，Ｂは、デジタルデータ又はアナログ信号として入力される。なお、入力されたクロック信号ＣＫ及び表示信号Ｒ，Ｇ，Ｂは、その転送時における電波ノイズ及び配線ノイズ等の電磁干渉の影響によって、それらの信号の波形に乱れが生じているものとする。即ち、入力されたクロック信号ＣＫ及び表示信号Ｒ，Ｇ，Ｂにはノイズが乗じている。また、表示信号Ｒ，Ｇ，Ｂの入力方式は、特に限定されないが、ここではパラレル入力であるものとして説明する。
【００１５】
入力されたクロック信号ＣＫ及び表示信号Ｒ，Ｇ，Ｂに対しては、各種の信号処理が行われる。これらの信号処理は、次に示すような駆動ＬＳＩ４０内に配置された信号処理部ＳＰにより行われる。
【００１６】
信号処理部ＳＰには、表示信号Ｒ，Ｇ，Ｂに対して、クロック信号ＣＫを用いたサンプリングを行うサンプリング回路４１が配置されている。また、サンプリング回路４１には、サンプリングされた表示信号Ｒ，Ｇ，Ｂに対して、さらに各種の信号処理を行って出力する他の信号処理回路４２が接続されている。ここで、他の信号処理回路４２の例としては、色補正回路、コントラスト及び輝度の調整回路、ガンマ補正回路等が挙げられる。
【００１７】
さらに、本発明の特徴として、信号処理部ＳＰの前段に、入力された駆動信号、即ちクロック信号ＣＫ及び表示信号Ｒ，Ｇ，Ｂの波形を整形する可変抵抗４３が設けられている。この可変抵抗４３は、電気信号に基づいて抵抗値が設定される、いわゆる電子ボリュームである。可変抵抗４３は、クロック信号ＣＫ及び表示信号Ｒ，Ｇ，Ｂの各入力端と信号処理部ＳＰとの間に、配線を介して直列に接続される。ここでは、可変抵抗４３は、クロック信号の入力端、及び表示信号Ｒ，Ｇ，Ｂの各入力端と、サンプリング回路４１の各入力端ＩＮｃ，ＩＮｒ，ＩＮｇ,ＩＮｂとの間に、それぞれ接続されている。可変抵抗４３に入力された信号の波形の乱れ、即ちノイズ成分は、設定された抵抗の電気的作用によって除去もしくは低減される。
【００１８】
なお、この可変抵抗４３は、クロック信号ＣＫ及び表示信号Ｒ，Ｇ，Ｂの全ての入力端に対応して設けられなくともよい。即ち、信号処理部ＳＰの信号処理や表示部１Ａの表示に影響を及ぼさない程度のノイズが乗じた駆動信号であれば、その駆動信号の入力端と信号処理部ＳＰとの間の可変抵抗４３は省かれてもよい。また、可変抵抗４３は、必ずしも駆動ＬＳＩ４０の内部に設けられている必要はなく、信号処理部ＳＰより前段であれば、駆動ＬＳＩ４０の外部に設けられるものであってもよい。
【００１９】
次に、可変抵抗４３の構成例について図面を参照して詳しく説明する。図２は、本実施形態に係る表示装置を示す等価回路図であり、可変抵抗４３のみを示している。図２に示すように、可変抵抗４３には、それぞれ異なる抵抗値を有した複数の抵抗Ｒ１，Ｒ２，・・・が並列に接続されている。各抵抗Ｒ１，Ｒ２，・・・には、設定される抵抗値に対応したデータに基づいて、それらの抵抗Ｒ１，Ｒ２，・・・の中から１つを選択して設定するスイッチング素子ＳＷ１，ＳＷ２，・・・が接続されている。スイッチング素子ＳＷ１，ＳＷ２，・・・には、設定される抵抗値に対応したデータを記憶し、これを所定のコマンドに応じて読み出す記憶装置５０が接続されている。
【００２０】
ここで、設定される抵抗値は、駆動信号のノイズを除去又は所望のレベルに低減し得る抵抗値である。なお、可変抵抗４３は、上記と同等の機能を有するものであれば、上記以外の構成を有してもよい。また、記憶装置５０は、駆動信号の転送速度に応じて、予め記憶した抵抗値が選択されるように、スイッチング素子ＳＷ１，ＳＷ２，・・・を切り替え制御する構成とすることができる。転送速度の判別は、外部より供給されるコマンド、若しくは、クロック信号ＣＫの周波数を検出することで行なうことができる。
【００２１】
次に、上述した表示装置の動作の一例について図面を参照して説明する。図３は、本発明の実施形態に係る表示装置の動作タイミング図である。ここでは、表示に係る画素１０の動作については従来例と同様であるものとして省略し、駆動ＬＳＩ４０に入力された駆動信号、即ちクロック信号ＣＫ及び表示信号Ｒ，Ｇ，Ｂのサンプリング動作及び他の信号処理について説明する。
【００２２】
図３に示すように、最初に、信号処理部ＳＰのサンプリング回路４１に、クロック信号ＣＫ、及び各色の表示信号Ｒ，Ｇ，Ｂが入力される。これらの信号の波形の乱れ、即ちノイズ成分は、図１及び図２の可変抵抗４３を通過することにより整形されている。そして、あるクロック信号ＣＫの立ち上がり時に、赤色の表示信号Ｒの振幅がサンプリングされる。次のクロック信号ＣＫの立ち上がり時には、緑色の表示信号Ｇの振幅がサンプリングされる。そして、その次のクロック信号ＣＫの立ち上がり時に、青色の表示信号Ｂの振幅がサンプリングされる。なお、各表示信号Ｒ，Ｇ，Ｂに対する上記サンプリングの順序は上記に限定されない。
【００２３】
こうしてサンプリングされた表示信号Ｒ，Ｇ，Ｂは、サンプリング回路４１に接続された他の信号処理回路４２に出力され、そこで、例えば色補正、コントラスト及び輝度の調整、ガンマ補正等の信号処理が行われて出力される。
【００２４】
上記サンプリング及びそれに続く信号処理では、入力されたクロック信号ＣＫ及び表示信号Ｒ，Ｇ，Ｂの波形の乱れ、即ちノイズ成分は除去又が低減されているため、従来例にみられたような異常動作は回避される。結果として、それらのクロック信号ＣＫ及び表示信号Ｒ，Ｇ，Ｂにより駆動される画素１０の表示の際、そのノイズを起因とする表示品位の低下を抑えることができる。
【００２５】
なお、上記実施形態では、表示信号Ｒ，Ｇ，Ｂの入力方式は、パラレル入力であるものとしたが、本発明はこれに限定されない。即ち、本発明は、表示信号Ｒ，Ｇ，Ｂの入力がシリアル入力により行われる場合についても適用される。この場合、可変抵抗４３は、表示信号Ｒ，Ｇ，Ｂの入力端と信号処理部ＳＰとの間に配線を介して接続される。
【００２６】
また、上記実施形態では、波形の整形の対象となる信号はクロック信号ＣＫ及び表示信号Ｒ，Ｇ，Ｂとしたが、本発明はこれに限定されない。即ち、本発明は、上記以外の駆動信号、又は制御信号が波形の整形の対象となる場合についても適用される。その場合、波形の整形の対象となる信号が印加される配線に、上記と同等の効果を得るようにして可変抵抗４３が適宜接続される。
【００２７】
また、上記実施形態に係る表示装置は液晶表示装置であるものとしたが、本発明はこれに限定されない。即ち、本発明は、駆動信号又は制御信号により駆動される表示部を有するものであれば、上記以外の表示装置、例えば有機エレクトロルミネッセンス表示装置等についても適用される。
【図面の簡単な説明】
【００２８】
【図１】本発明の実施形態に係る表示装置を示す等価回路図である。
【図２】本発明の実施形態に係る表示装置の可変抵抗器を示す等価回路図である。
【図３】本発明の実施形態に係る表示装置の動作タイミング図である。
【図４】従来例に係る液晶表示装置を示す平面図である。
【符号の説明】
【００２９】
１    表示パネル          １Ａ   表示部            １０  画素
１１  ＴＦＴ              １２  画素電極          １３  共通電極
１４  液晶層              １５  保持容量
２０  垂直駆動回路        ３０  水平駆動回路      ３１  サンプリング回路
３２  可変抵抗器          ４０  制御回路          ５０  記憶装置
ＧＬ  走査線              ＤＬ  表示信号線
Ｒ１，Ｒ２，Ｒ３，・・・  第１の抵抗
ＳＷ１，ＳＷ２，ＳＷ３，・・・  スイッチング素子          
【図１】
2008003454.tif 000003
【図２】
2008003454.tif 000004
【図３】
2008003454.tif 000005
【図４】
2008003454.tif 000006